(57)【要約】【課題】施錠具を上下動して施解錠する引戸錠装置で、引戸の左右の勝手違いにも対応して取り付けられること。【解決手段】錠本体１は、錠箱５に、作動具６を軸支し、伝達具７、変換具８及び連係ピン１３を介して、ガイド具９に案内される錠片１０を引戸Ｈの開閉方向と直交する方向に出没させるように設けて成る。上下動可能な伝達具７には、斜めに誘導孔１７を設けてある変換具８が取り付けられる。変換具８は、伝達具７と一緒に上下動し、その表裏を反転にすると、誘導孔１７の傾斜が逆になる。ガイド具９は、変換具８の前面位置に固定され、背板部１５には、横長の案内孔１９を設け、前面上下部に相対向する案内溝２０・２０を設け、ここに、錠片１０の突起２１・２１が摺動自在に案内されて取り付けられる。錠片１０には係合孔２２を設けてあり、変換具８の誘導孔１７に係合しガイド具９の案内孔１９を貫通した連係ピン１３が係合する。【選択図】図４
2008231807.tif 000002
【特許請求の範囲】
【請求項１】
施錠具を上下動することによって、ガイド具に案内される錠片が引戸開閉方向と直交する方向に出没する錠本体と、錠片が突出して係合する受具とから成り、施錠具を上下動すると、作動具を介して伝達具が上下動し、伝達具には、共に上下動する変換具を表裏反転しても取り付けられように構成し、変換具には、斜め方向に伸びる誘導孔を設け、ガイド具には、横方向に伸びる案内孔を設け、誘導孔と案内孔は交差するように設けられ、錠片に係合する連係ピンをその交差部に貫通するように設けて成り、変換具が上下動することによって、連係ピンが誘導孔と案内孔に案内されて横方向に移動して錠片が出没し施解錠されるように構成し、変換具を表裏逆にして誘導孔の傾斜の向きを逆にすると共に、錠片の突出方向を逆にすることによって、錠片を逆向きに突出させることができる引戸錠装置。
【発明の詳細な説明】
【技術分野】
【０００１】
本発明は、施錠具を上下動することによって、施解錠するタイプの引戸錠装置であって、建物の開口に外付けで取付施工するいわゆるアウトセット引戸に使用するのに適しているものである。
【背景技術】
【０００２】
従来より、特開２０００−８６７１号発明のように、施錠具を上下動することによって、鎌錠片を回動させ引戸の見込面から出没させて施解錠するタイプの引戸錠装置は提案されている。また、特開２００５−１６３２９４号発明のように、施錠具であるサムターンを回動することによって、ロック棒を引戸開閉方向と直交する向きに出没させる引戸錠と、該引戸錠と対向する扉開口部の開口縁に錠受入れ凹部を形成し、ロック棒を錠受入れ凹部に対し係脱してなる引戸錠装置も提案されている。
【特許文献１】特開２０００−８６７１号公報
【特許文献２】特開２００５−１６３２９４号公報
【発明の開示】
【発明が解決しようとする課題】
【０００３】
上記前者の従来例においては、アウトセット引戸に適用しようとすると、鎌錠片の鎌受具を、該引戸の見込面に位置するように壁面に突出して取り付けなければならず、鎌受具が大きく突出して美観を損ねるし、歩行の邪魔にもなるという問題がある。また、この問題を解決した上記後者の従来例は、施錠具を回動操作して施解錠するものであるが、通常引き違いできるようにするために引戸の表面から突出しないように施錠具を設ける場合が多く、その場合には施錠具が大きくできないので、操作性が良好とはいえず、特に高齢者等には操作しにくいという問題がある。
【０００４】
本発明は、これらの問題を解決し、さらには、引戸の左右の勝手違いにも対応して取り付けることができることを課題としている。
【課題を解決するための手段】
【０００５】
本発明は、上記の課題を解決するために、施錠具を上下動することによって、ガイド具に案内される錠片が引戸開閉方向と直交する方向に出没する錠本体と、錠片が突出して係合する受具とから成り、施錠具を上下動すると、作動具を介して伝達具が上下動し、伝達具には、共に上下動する変換具を表裏反転しても取り付けられように構成し、変換具には、斜め方向に伸びる誘導孔を設け、ガイド具には、横方向に伸びる案内孔を設け、誘導孔と案内孔は交差するように設けられ、錠片に係合する連係ピンをその交差部に貫通するように設けて成り、変換具が上下動することによって、連係ピンが誘導孔と案内孔に案内されて横方向に移動して錠片が出没し施解錠されるように構成し、変換具を表裏逆にして誘導孔の傾斜の向きを逆にすると共に、錠片の突出方向を逆にすることによって、錠片を逆向きに突出させることができるように構成したものである。
【発明の効果】
【０００６】
本発明は、施錠具を上下動することによって、錠片を引戸開閉方向と直交する方向に出没させて施解錠することができるので、施解錠の操作が簡単で高齢者等にも操作しやすいという効果と、錠片の受具は取付壁面から大きく突出させる必要がなく、美観の低下を抑えることができるという効果とを併せ持つ引戸錠装置を提供することができるものである。
【実施例】
【０００７】
錠本体１は、錠箱５に、作動具６を軸支し、伝達具７、変換具８及び連係ピン１３を介して、ガイド具９に案内される錠片１０を引戸Ｈの開閉方向と直交する方向に出没させるように設けて成り、その表面は表面板１１で被覆され、ねじ３０・３０で引戸Ｈに固定される。また、取付の際に引戸Ｈの切り欠いた部分を隠すために、錠片１０が出没する孔を明けた化粧プレート１２を取り付けてある。
【０００８】
作動具６は、一端を錠箱５の後方から突出させて連係孔２８を設け、他端を伝達具７に連結させてあり、伝達具７は、上下動可能で、前面上下部に２本のボス１６・１６を立設してあり、このボス１６・１６に、変換具８のボス孔１８・１８が係合するようになっている。
【０００９】
変換具８は、正方形の板状で、ボス孔１８・１８の間に斜めに誘導孔１７を設けてあり、誘導孔１７の上下両端には垂直外方に伸びる直線部分がある。この変換具８は、ボス孔１８・１８がボス１６・１６に係合して伝達具７と一緒に上下動するもので、その表裏を反転しても、ボス孔１８・１８がボス１６・１６に係合し、誘導孔１７はその傾斜が逆になるようになっている。
【００１０】
ガイド具９は、変換具８の前面に位置するように、ビス２９・２９で錠箱５に固定され、その背板部１５には、中央に横長の案内孔１９を設けると共に、前面上下部に相対向する案内溝２０・２０を設けてある。ガイド具９が錠箱５に固定されると、その案内孔１９は、変換具８の誘導孔１７と交差する。
【００１１】
錠片１０は、一端部上下に突起２１・２１を設けてあり、ガイド具９の案内溝２０・２０に摺動自在に案内され、後面には、連係ピン１３が係合する係合孔２２を設けてある。連係ピン１３は、変換具８の誘導孔１７に係合すると共に、ガイド具９の案内孔１９を貫通して、錠片１０の係合孔２２に係合するようになっている。
【００１２】
引手３は、室内側に配設され、手掛け部２３内の上部に施錠具１４を上下動可能に設けてあり、引手４は、室外側に配設され、手掛け部２３に対向するように、手掛け部２４を設け、その上部に表示窓２５を設けてある。その表示窓２５の部分に、非常解錠片２６を上下動可能に設けてある。そして、施錠具１４と非常解錠片２６は、連動バー２７で連係されており、一緒に上下動するようになっている。この連動バー２７は、作動具６の連係孔２８に挿通され、施錠具１４又は非常解錠片２６を上下動すると、連動バー２７により、作動具６は回動するものである。
【００１３】
図１に示すような左勝手の引戸Ｈに使用する場合には、図４及び図５に示すように、変換具８を、誘導孔１７が右上から左下方向になるように、ボス１６・１６にボス孔１８・１８を係合させて、伝達具７に取り付ける。そして、錠片１０を見込面から見て左側に突出するように、突起２１・２１を案内溝２０・２０に係合させて、ガイド具９に取り付け、連係ピン１３の一端を、案内孔１９を貫通して係合孔２２に嵌め、他端を誘導孔１７に係合させ、ガイド具９をビス２９・２９で錠箱５に固定する。
【００１４】
左勝手から右勝手の引戸用に変更する方法について説明する。図７の状態からビス２９・２９を外してガイド具９を外し、連係ピン１３を抜き（図８の状態）、変換具８を外し表裏反転して、誘導孔１７が左上から右下方向になるように、ボス１６・１６にボス孔１８・１８を係合させて、伝達具７に取り付ける。さらに、錠片１０が取り付けられたガイド具９を上下逆にするか、錠片１０だけを案内溝２０・２０から抜いて上下逆にして案内溝２０・２０に取り付けて、錠片１０の突出方向を逆にして（図９の状態）、ガイド具９を取り付けると、錠片１０は逆向き（見込面から見て右側）に突出し、右勝手の引戸用に変更することができる（図１０の状態）。
【００１５】
左勝手の引戸Ｈの場合の施錠動作について説明する。解錠時は、連係孔２８を設けた作動具６の一端部が上位置にあり、伝達具７と変換具８は下がり、錠片１０は引っ込んでいる状態であり（図５及び図１１の状態）、この状態から施錠具１４を下げると、連動バー２７が連係孔２８を押し下げて作動具６の他端を上方に回動し、伝達具７と変換具８は上方に移動する。すると、連係ピン１３は、変換具８の誘導孔１７とガイド具９の案内孔１９に案内されて、左方に移動し、この連係ピン１３に係合している錠片１０が左方に移動し、引戸Ｈから突出する（図２、図６及び図１２の状態）。そして、この錠片１０が受具２に係合し、引戸Ｈは施錠状態となる。
【００１６】
次に解錠動作について説明する。上記の状態（図２、図６及び図１２の状態）から、施錠具１４を上げると、連動バー２７が連係孔２８を押し上げて作動具６の他端を下方に回動し、伝達具７と変換具８は下方に移動する。すると、連係ピン１３は、変換具８の誘導孔１７とガイド具９の案内孔１９に案内されて、見込面から見て右方に移動し、この連係ピン１３に係合している錠片１０が右方に移動し引っ込んで、解錠状態となる（図５及び図１１の状態）。
【００１７】
右勝手の引戸Ｈの場合の施解錠動作については、上述した左勝手の場合とは錠片１０の左右の動きが逆になるだけである。
【図面の簡単な説明】
【００１８】
【図１】引戸に取り付けた解錠状態を示す全体斜視図。
【図２】引戸に取り付けた施錠状態を示す要部の斜視図。
【図３】表面板を外した状態の分解斜視図。
【図４】全体の分解斜視図。
【図５】表面板とガイド具を外した解錠状態の正面図（錠片を仮想線で描いてある）。
【図６】表面板とガイド具を外した施錠状態の正面図（錠片を仮想線で描いてある）。      図７〜図１０は、左右勝手を変更する過程を示す、表面板を外した状態の斜視図である。
【図７】左勝手の引戸に使用する時の斜視図。
【図８】図７の状態から、ガイド具を外した状態の斜視図。
【図９】図８の状態から、錠片の突出方向を逆にすると共に、変換具の表裏を逆にして誘導孔の傾斜を逆にした状態の斜視図。
【図１０】図９の状態から、ガイド具を取り付けた状態の斜視図。
【図１１】図５のＡ−Ａ線断面図。
【図１２】図６のＢ−Ｂ線断面図。
【図１３】引戸に取り付けた解錠状態を示す引手部分の断面図。
【図１４】引戸に取り付けた施錠状態を示す引手部分の断面図。
【符号の説明】
【００１９】
１  錠本体
５  錠箱
８  変換具
９  ガイド具
１０  錠片
１３  連係ピン
１４  施錠具
１７  誘導孔
１９  案内孔
Ｈ  引戸
【図１】
2008231807.tif 000003
【図２】
2008231807.tif 000004
【図３】
2008231807.tif 000005
【図４】
2008231807.tif 000006
【図５】
2008231807.tif 000007
【図６】
2008231807.tif 000008
【図７】
2008231807.tif 000009
【図８】
2008231807.tif 000010
【図９】
2008231807.tif 000011
【図１０】
2008231807.tif 000012
【図１１】
2008231807.tif 000013
【図１２】
2008231807.tif 000014
【図１３】
2008231807.tif 000015
【図１４】
2008231807.tif 000016